(57)【要約】      （修正有）【課題】薄型、高速回転の光ディスク装置において、光ディスクの回転によって生じる騒音と振動を少なくする。【解決手段】ターンテーブルに光ディスクを載せるスリムタイプ型の構造において、トレイが引き出された際に光ディスクの回転を停止するためのブレーキパッド１０を従来の位置よりも前に設けることによって、トレイを収納したときにブレーキパッドとトレイの前面部の側面が密着するようにして光ディスク回転時の振動を防止し騒音を低減する。【選択図】図２Ｂ
2009223930.tif 000002
【特許請求の範囲】
【請求項１】
光ディスクを回転させ、光ピックアップよりレーザ光を照射して情報の記録・再生をおこなう光ディスク装置において、
トップシャーシとボトムシャーシとはめ合わせたシャーシ部と、
光ディスクを載置し回転させるターンテーブルを有し、情報の記録・再生時には、前記シャーシ部の中に収納し、前記光ディスクを取り出すときには、前記シャーシ部から引き出されるトレイとを備え、
前記ボトムシャーシの内側の側面であって、前記トレイを前記シャーシ部から引き出す前側に、弾性体よりなるブレーキパッドを有し、
前記トレイを前記シャーシ部から引き出すときには、前記光ディスクが前記ブレーキパッドに接触し、
前記トレイを前記シャーシ部に収納したときには、前記トレイの前面部の側面と前記ブレーキパッドが密着することを特徴とする光ディスク装置。
【請求項２】
前記ブレーキパッドは、側面が短辺と長辺よりなる台形形状であって、前記短辺の高さは、前記トレイの高さより低く、前記長辺の高さは、前記トレイの高さより高いことを特徴とする請求項１記載の光ディスク装置。
【発明の詳細な説明】
【技術分野】
【０００１】
本発明は、光ディスク装置に係り、特に、ノート型パーソナルコンピュータなどに搭載される薄型の形状のモデルに好適であって、モータの回転駆動時であっても騒音や振動を低減することのできる光ディスク装置に関する。
【背景技術】
【０００２】
従来より、デジタル情報を読み出し、書き込む装置としてＣＤドライブ装置、ＤＶＤドライブ装置などの光ディスク装置が広く普及している。
【０００３】
特に、近年は、ノート型パーソナルコンピュータ（以下、「ノート型ＰＣ」の流行により、装置自体が軽量化して、ターンテーブル上に光ディスクを載せるタイプの生産台数が増加傾向にある。
【０００４】
また、かかる光ディスク装置では、その記録／再生をおこなう光ディスクの技術開発の進展により、その記憶容量がますます増大する傾向にある。そのために、高速にデータの読み出しまたは書き込みを実現するため、光ディスク装置によるディスク回転速度も一層速いものが要望されるようになっており、駆動の高速化も著しい。
【０００５】
ところで、光ディスクが回転したまま飛び出すのを防止するために、薄型の光ディスク装置では、光ディスク装置を取り出すときに、取り出される方向に光ディスク装置の側面と接触して回転速度を落とすためのブレーキパッドが設けられている。
【０００６】
例えば、特許文献１の図３、特許文献２の図１には、シャーシの側面部分に設置されているブレーキパッドが開示されている。
【０００７】
【特許文献１】特開２００５−９２９４６号公報
【特許文献２】特開平１１−３４５４５５号公報
【発明の開示】
【発明が解決しようとする課題】
【０００８】
上記のように、光ディスク装置が軽量、小型化されて、かつ、ディスクの回転のため、スピンドールモータを高速で回転駆動するときに生じる騒音や振動が問題となる。
【０００９】
特に、アンバランスな光ディスクをターンテーブル上に搭載し、回転させると、トレイとシャーシとの間の「ビビリ音」と呼ばれる騒音が顕著であることが指摘されている。
【００１０】
上記のような軽量化された光ディスク装置は、ユーザが身近で操作するノート型ＰＣに採用されているため、ディスクトップＰＣよりも低騒音で振動を低減することが求められている。また、ノート型ＰＣは、モールド（プラスチック）成型で軽量であるため、振動も激しくなるという問題もある。
【００１１】
本発明は、上記問題点を解決するためになされたもので、その目的は、薄型、高速回転の光ディスク装置において、低騒音で振動の少ない光ディスク装置を提供することにある。
【課題を解決するための手段】
【００１２】
本発明の光ディスク装置では、ターンテーブルに光ディスクを載せるスリムタイプ型の構造において、従来のブレーキパッドよりも前にブレーキパッドを設けて、トレイを収納したときに、ブレーキパッドとトレイの前面部の側面が密着するようにする。
【００１３】
これにより、光ディスクを回転させたときの揺動が少なくなり、騒音も低減される。
【発明の効果】
【００１４】
本発明によれば、薄型、高速回転の光ディスク装置において、低騒音で振動の少ない光ディスク装置を提供することができる。
【発明を実施するための最良の形態】
【００１５】
以下、本発明に係る一実施形態を、図１ないし図５を用いて説明する。
図１Ａ、図１Ｂは、本発明の一実施形態に係る光ディスク装置の全体の斜視図である。
図２Ａは、従来技術の光ディスク装置のトレイを、シャーシに収納したときの様子を示した斜視図である。
図２Ｂは、本発明の一実施形態に係る光ディスク装置のトレイを、シャーシに収納したときの様子を示した斜視図である。
図３Ａは、従来技術の光ディスク装置のトレイを、シャーシに収納したときの様子を示した上面図である。
図３Ｂは、本発明の一実施形態に係る光ディスク装置のトレイを、シャーシに収納したときの様子を示した上面図である。
図４Ａ〜Ｃは、従来技術に係る光ディスク装置のトレイを出し入れするときの各状態を示した図である。
図５Ａ〜Ｃは、本実施形態に係る光ディスク装置のトレイを出し入れするときの各状態を示した図である。
図６は、光ディスクが回転するときの光ディスク装置内の空気の流れを説明する図である。
図７は、ブレーキパッドの形状を説明する図である。
【００１６】
本実施形態に係る光ディスク装置は、ノート型ＰＣなどに搭載される薄型（スリムタイプ）のドライブ装置であり、図１Ａ、図１Ｂに示されるように、トップシャーシ５とボトムシャーシ４をはめ合わせたシャーシ部に、排出ボタン３０を押すか、パーソナルコンピュータ（以下、「ＰＣ」という）からのイジェクト操作により、メカニカル機構を動作させて、光ディスクを搭載するトレイ１を引き出すようになっている。
【００１７】
ここで、図１Ａは、シャーシ部のトップシャーシ５とボトムシャーシ４をはめ合わせた様子を示しており、図１Ｂは、シャーシ部のトップシャーシ５とボトムシャーシ４をはずした様子を示している。
【００１８】
トレイ１の形状は、奥にあたる横片の長さβが短くなっており、トレイ前面部１ａの横片の長さαがこれに対して長くなっている。このトレイ前面部１ａにフロント部品を取り付けて、トレイ１をシャーシ部に入れたときに、内部が見えないようにして収納するようになっている。
【００１９】
そして、ＣＤ、ＤＶＤなどの光ディスクのデータの読み出し、書き込みをおこなうときには、ターンテーブル９の軸部のチャック６に、光ディスクを差し込んで装着して、トレイ１をシャーシ部に入れた状態で、光ピックアップ７よりレーザ光を照射することにより、データの読み出し、書き込みをおこなう。ターンテーブル４は、図示していないがスピンドルモータによりデータの読み出し、書き込み時に回転するようになっている。
【００２０】
そして、データの読み出し、書き込みの処理が終わったときには、排出ボタンを押すか、ＰＣからのイジェクト操作により、トレイ１を引き出して、光ディスクを取り出す。
【００２１】
通常の排出ボタンを押すか、ＰＣからのイジェクト操作により、光ディスクを取り出す場合には、ターンテーブル９は、回転が終わった時点でトレイ１が引き出されるが、光ディスクが何らかの原因で取り出さないときには、取り出し穴３１にピンを差し込んで強制イジェクトさせることがある。この場合のため、従来の光ディスクには、高速で回転している光ディスクの回転を止めることを目的として、図２Ａ、図３Ａに示されるように、ボトムシャーシ４に、ブレーキパッド１０が設けられている。
【００２２】
強制イジェクトにより、トレイ１がシャーシ部から引き出されるときには、光ディスク０が、ブレーキパッド１０にあたって、回転を止められて引き出されるようになっている。このブレーキパッド１０は、フェルトまたはゴムなどの弾性体が用いられる。なお、図２Ａ、図３Ａは、トレイ１をシャーシ部の中に入れた状態で、見やすくするために、トップシャーシ５を取り除いて説明している。
【００２３】
図４Ａは、トレイ１がシャーシ部の中にあり、光ディスク０が回転している状態であり、図４Ｂが、光ディスク０とブレーキパッド１０が接触している状態である。そして、図４Ｃは、トレイ１がシャーシ部から取り出された状態である。
【００２４】
従来のブレーキパッド１０は、図２Ａ、図３Ａに示されように、ブレーキパッド１０を、ボトムシャーシ４の側部で、前面からおよそ１５ｍｍ〜２０ｍｍほどのトレイ前面部１ａの後ろ側に設置していた。
【００２５】
本実施形態では、図２Ｂ、図３Ｂに示されように、ブレーキパッド１０を、ボトムシャーシ４の側部であり、トレイ１をシャーシ部に収納したときに、トレイ前面部１ａと接触する場所に設置する。
【００２６】
ここで、本実施形態のトレイ１の各状態を示すと、トレイ１がシャーシ部の中にあり、光ディスク０が回転している状態が、図５Ａであり、光ディスク０とブレーキパッド１０が接触している状態が、図５Ｂとなる。そして、トレイ１がシャーシ部から取り出された状態が、図５Ｃになる。
【００２７】
本実施形態のブレーキパッド１０の取付け位置にすると、従来と光ディスク０の回転を落とすという効果は、図４Ａ〜Ｃと図５Ａ〜Ｃと比べて分かるように、光ディスク０とブレーキパッド１０が接触するタイミングが異なるのみであり、ほぼ同じである。
【００２８】
しかしながら、本実施形態では、図２Ｂ、図３Ｂ、図５Ａに示されるように、トレイ１をシャーシ部に収納したときに、トレイ前面部１ａとブレーキパッド１０が密着するようになる。
【００２９】
したがって、これによって、光ディスク装置のスピンドルモータを回転駆動させているときに、トレイ１のビビリ（揺れ）を防止でき、回転によって生ずる騒音を低減することができる。
【００３０】
また、別の効果としては、光ディスク０の回転によって生じる空気の流れをスムーズにすることもある。
【００３１】
従来では、図６（ａ）に示されるように、ブレーキパッド１０が光ディスク０に近いところにあったため、回転によって生じる空気流がブレーキパッド１０にあたり散乱して、騒音の原因ともなっていた。本実施形態では、図６（ｂ）に示されるように、ブレーキパッド１０をより前面の光ディスク０から遠いところに設置するため、回転によって生じる空気流がブレーキパッド１０にあたることが少なくなり、空気の流れがスムーズになる。
【００３２】
本実施形態のブレーキパッドの形状は、図７（ａ）に示されるように、長方形でよい。ここで、ブレーキパッド１０ａの上辺の高さは、従来と同様に、トレイの前面部１ａの高さｈよりも高くして、トレイ前面部１ａとブレーキパッド１０ａをしっかり密着させる。
【００３３】
また、図７（ｂ）に示されるように、ブレーキパッド１０ｂの形状を上側に斜辺を設けた先細の台形であって、短辺ｈsがトレイの前面部１ａの高さｈより短く、長辺ｈlがトレイの前面部１ａの高さｈより大きくしてもよい。
【００３４】
この図７（ｂ）のブレーキパッドの形状を先細の台形としたときには、トレイ前面部１ａとブレーキパッド１０の密着性を確保しつつ、トレイ１が長方形にしたときより、挿入しやすくなるという効果がある。
【図面の簡単な説明】
【００３５】
【図１Ａ】本発明の一実施形態に係る光ディスク装置の全体の斜視図である（その一）。
【図１Ｂ】本発明の一実施形態に係る光ディスク装置の全体の斜視図である（その二）。
【図２Ａ】従来技術の光ディスク装置のトレイを、シャーシに収納したときの様子を示した斜視図である。
【図２Ｂ】本発明の一実施形態に係る光ディスク装置のトレイを、シャーシに収納したときの様子を示した斜視図である。
【図３Ａ】従来技術の光ディスク装置のトレイを、シャーシに収納したときの様子を示した上面図である。
【図３Ｂ】本発明の一実施形態に係る光ディスク装置のトレイを、シャーシに収納したときの様子を示した上面図である。
【図４Ａ】従来技術に係る光ディスク装置のトレイを出し入れするときの各状態を示した図である（その一）。
【図４Ｂ】従来技術に係る光ディスク装置のトレイを出し入れするときの各状態を示した図である（その二）。
【図４Ｃ】従来技術に係る光ディスク装置のトレイを出し入れするときの各状態を示した図である（その三）。
【図５Ａ】本実施形態に係る光ディスク装置のトレイを出し入れするときの各状態を示した図である（その一）。
【図５Ｂ】本実施形態に係る光ディスク装置のトレイを出し入れするときの各状態を示した図である（その二）。
【図５Ｃ】本実施形態に係る光ディスク装置のトレイを出し入れするときの各状態を示した図である（その三）。
【図６】光ディスクが回転するときの光ディスク装置内の空気の流れを説明する図である。
【図７】ブレーキパッドの形状を説明する図である。
【符号の説明】
【００３６】
０…光ディスク、１…トレイ、１ａ…トレイ前面部、４…ボトムシャーシ、５…トップシャーシ、６…チャック、７…光ピックアップ、９…ターンテーブル、１０、１０ａ、１０ｂ…ブレーキパッド、３０…排出ボタン、３１…取り出し穴。
【図１Ａ】
2009223930.tif 000003
【図１Ｂ】
2009223930.tif 000004
【図２Ａ】
2009223930.tif 000005
【図２Ｂ】
2009223930.tif 000006
【図３Ａ】
2009223930.tif 000007
【図３Ｂ】
2009223930.tif 000008
【図４Ａ】
2009223930.tif 000009
【図４Ｂ】
2009223930.tif 000010
【図４Ｃ】
2009223930.tif 000011
【図５Ａ】
2009223930.tif 000012
【図５Ｂ】
2009223930.tif 000013
【図５Ｃ】
2009223930.tif 000014
【図６】
2009223930.tif 000015
【図７】
2009223930.tif 000016